(57)【要約】【課題】信号のジッタをより少なくするようにディスクへ記録のための記録信号を生成する方法及び装置を提供する。【解決手段】本発明は、ピットの開始部分をそのピットの前のブランクの長さ情報から決めたパワーレベルで記録し、ピットの終わりをそのピットの長さ情報から決めたパワーレベルで記録する。前のブランクが長いとき開始レベルを高くし、ピットの長さが長いとき終端部のレベルを低くする。【選択図】　図３
2004139732.tif 000002
【特許請求の範囲】
【請求項１】
　記録するデータに対応した記録パルスを生成し、この記録パルスに応じた記録パワーレベルを光源に適用してこの光源を駆動することでピットを形成する光記録媒体の記録信号生成方法において、
　（１）記録パルスから前のブランク長と現在のピット長を確認するステップと、
　（２）前記ステップ（１）で確認された前のブランク長に応じてピットの始め部分の記録パワーレベルが決定され、現在のピット長に応じて前記ピットの終わり部分の記録パワーレベルが決定されるように記録パワー補償信号を生成するステップと、
　（３）前記生成された記録パワー補償信号を前記記録パワーレベルに加算するステップと
　を備えることを特徴とする光記録媒体の記録信号生成方法。
【請求項２】
　前記ステップ（２）は、前記記録パルスを反転し、反転した信号を積分して、積分された信号を生成する
　ことを特徴とする請求項１記載の光記録媒体の記録信号生成方法。
【請求項３】
　前記ステップ（２）は、前記積分された信号を非線形的に変換するステップを含む
　ことを特徴とする請求項２記載の光記録媒体の記録信号生成方法。
【請求項４】
　前記ステップ（２）は、前記記録パルスのブランク区間では充電を行い、ピット区間では放電を行うことで記録パワー補償信号を生成するステップを含む
　ことを特徴とする請求項１記載の光記録媒体の記録信号生成方法。
【請求項５】
　前記ステップ（２）は、基準レベルから充電することによって、ブランク部分の初期レベルを基準レベルにする
　ことを特徴とする請求項４記載の光記録媒体の記録信号生成方法。
【請求項６】
　前記ステップ（２）は、充電信号または放電信号を非線形的に変換する
　ことを特徴とする請求項４記載の光記録媒体の記録信号生成方法。
【請求項７】
　前記記録パルスは、単一パルスまたは１ピットの長さのマルチパルスである
　ことを特徴とする請求項１記載の光記録媒体の記録信号生成方法。
【請求項８】
　前記ステップ（２）において、前記ピットの始め部分の前記記録パワーレベルは、前記ピットの終わり部分の前記記録パワーレベルと異なる
　ことを特徴とする請求項１記載の光記録媒体の記録信号生成方法。
【請求項９】
　記録パワーレベルに基づいて光源に対する駆動電流を変化させて光記録媒体にピットを形成する光記録媒体の記録再生装置において、
　記録するデータに対応する記録パルスを生成するエンコーダと、
　前記記録パルスから得られた前のブランク長の情報に応じて前記ピットの始め部分の記録パワーレベルが決定され、前記記録パルスから得られた現在のピット長の情報に応じて前記ピットの終わり部分の記録パワーレベルが決定されるように記録パワー補償信号を生成する記録パワー補償信号生成部と、
　前記生成された記録パワー補償信号を前記記録パワーレベルに加算する加算器と
　を備えることを特徴とする光記録媒体の記録再生装置。
【請求項１０】
　前記記録パワー補償信号生成部は、前記記録パルスを反転し、反転した信号を積分して積分された信号を生成することにより前記記録パワー補償信号を生成する積分器を含む
　ことを特徴とする請求項９記載の光記録媒体の記録再生装置。
【請求項１１】
　前記エンコーダは、前記積分された信号のブランク部分の始め部分にピット長を有するリセットパルスを生成し、このリセットパルスを前記積分器に提供する
　ことを特徴とする請求項１０記載の光記録媒体の記録再生装置。
【請求項１２】
　前記積分器は、前記リセットパルスにより、前記積分された信号のブランク部分の初期パワーを基準レベルにする
　ことを特徴とする請求項１１記載の光記録媒体の記録再生装置。
【請求項１３】
　前記記録パワー補償信号生成部は、前記記録パルスのブランク区間では充電を行い、ピット区間では放電を行うことで記録パワー補償信号を生成する充放電器を含む
　ことを特徴とする請求項９記載の光記録媒体の記録再生装置。
【請求項１４】
　前記エンコーダは、ブランク区間ではブランク長に比例する充電スイッチパルスを、ピット区間ではピット長に比例する放電スイッチパルスを発生して、これらを前記充放電器に出力する
　ことを特徴とする請求項１３記載の光記録媒体の記録再生装置。
【請求項１５】
　前記充放電器は、
　充電スイッチパルスによりオン・オフされる充電スイッチと、
　放電スイッチパルスによりオン・オフされる放電スイッチと、
　前記充電スイッチがオンされると、前記充電スイッチに供給される充電電圧を充電し、前記放電スイッチがオンされると、前記充電電圧を放電するためのＲＣ時定数回路と
　を含むことを特徴とする請求項１４記載の光記録媒体の記録再生装置。
【請求項１６】
　前記エンコーダは、ブランクの始め部分にピット長を有するリセットスイッチパルスを生成し、これを前記充放電器に送出する
　ことを特徴とする請求項１３記載の光記録媒体の記録再生装置。
【請求項１７】
　前記充放電器は、
　前記リセットスイッチパルスによりオン・オフされるように構成されたリセットスイッチをさらに備え、
　前記リセットスイッチがオンされると、放電を終わらせ、前記リセットスイッチに供給される基準電圧をＲＣ時定数回路に印加する
　ことを特徴とする請求項１６記載の光記録媒体の記録再生装置。　　
【請求項１８】
　前記記録パワー補償信号生成部は、前記記録パワー補償信号を非線形的に変換し、これを前記加算器に出力する
　ことを特徴とする請求項９記載の光記録媒体の記録再生装置。
【請求項１９】
　前記エンコーダは、１つのピット長に対して記録パルスとして単一パルスを発生する
　ことを特徴とする請求項９記載の光記録媒体の記録再生装置。
【請求項２０】
　前記エンコーダは、１つのピット長に対して記録パルスとしてマルチパルスを発生する
　ことを特徴とする請求項９記載の光記録媒体の記録再生装置。
【請求項２１】
　前記ピットの始め部分の前記記録パワーレベルは、前記ピットの終わり部分の記録パワーレベルと異なる
　ことを特徴とする請求項９記載の光記録媒体の記録再生装置。
【発明の詳細な説明】
【技術分野】
【０００１】
　本発明は光記録媒体におけるデータ記録再生システムに関し、特に光記録媒体にジッタの少ない最適な記録信号を生成する方法並びに装置に関する。
【背景技術】
【０００２】
　一般に、光記録媒体例えば書き換え可能な光ディスクの場合、ほとんどの記録媒質は相変化型の物質で形成されている。すなわち、光ヘッドで集束された光が熱に変換され、この熱により相変化記録媒質の状態が変わって反射量を変え、相変化型のディスクにマークを形成してピットを記録する。ここで、ディスクに整形された長さだけマークを形成することをライト・ストラテジという。
【０００３】
　このとき、レーザ光はピットのある反射面の反対側より入射される。レーザの入射側面からみるときピットは突起として見える。そのピットの幅は０．４〜０．６μｍであり、１つのピットの長さ及びピットとピットとの間隙は、コンパクトディスクＣＤの場合では３Ｔから１１Ｔまで９ステップ、デジタル多機能ディスクＤＶＤの場合では３Ｔから１４Ｔまで１２ステップに分けられる。ここで、Ｔとはクロックパルス１つ分の長さである。例えば、３Ｔは３つのクロックパルスを意味し、１１Ｔはクロックパルス１１個分の長さである。
　更に、螺旋状に巻かれているトラックのピット群をみると、一定の間隙ごとに特定のピット配列があり、定期的に存在するこのピット配列には同期信号がある。この同期信号から次の同期信号までのブロックをフレームとする。１フレームは多数のシンボルデータから構成されている。
【０００４】
　図１は一般的な光ディスク記録再生装置における記録に係る構成ブロック図である。ディスク１０１に記録するための信号がエンコーダ１０３へ入力されると、エンコーダ１０３は、その記録信号を１６ビットのデジタル信号に変換し、再び上位８ビットと下位８ビット（これをシンボルとする。）とに分割するという過程をフレーム単位で処理する。そして、シンボル８ビットのデータに該当する１４ビットコード値をメモリ（図示せず）のコードテーブルから呼び出して、シンボル８ビットのデータを１４ビットに変換するＥＦＭ(Eight to Fourteen Modulation)変調を行う。すなわち、メモリにはＥＦＭ或いはＥＦＭ＋のためのコードテーブルがマッピングされている。ＥＦＭ或いはＥＦＭ＋変調されたデータは、変調後の直流成分の除去のためにマージンビット（例えば、３ビット）が加えられて図２（ａ）に示すように非ゼロ復帰反転（Non-Return-to Zero Inverted:ＮＲＺＩ）変調された後、ＬＤ駆動部１０６に入力される。ＮＲＺＩ変調は‘１’の信号でデータを反転させる変調規則である。すなわち、データが‘１’のときだけ状態を反転させる。
【０００５】
　一方、記録パワー生成部１０４は、記録するデータに対するレーザダイオードＬＤのパワーを生成してアナログに変換した後、記録レベル加算器１０５を介してＬＤ駆動部１０６に出力する。ここで、前記記録パワーは、形成するマークの長さ、ディスクの状態に応じて異なる。
【０００６】
　ＬＤ駆動部１０６は、エンコーダ１０３からＮＲＺＩ変調されたデータが入力されると、レーザダイオードＬＤのパワーを記録時のパワーに変調して（すなわち、ＬＤ駆動電圧をＬＤ駆動電流に変換して）光ピックアップ１０２のＬＤを駆動させる。これにより、ＮＲＺＩ変調された信号が光ディスク１０１に記録される。このとき、ＬＤの光出力は温度に応じて著しく変化する（例えば、温度が上昇するほど記録パワーが落ち、温度が下降するほど記録パワーが上がる）ため、これを解決するためＬＤパワーの一部を自動レーザパワー制御(Auto Laser Power Control;ＡＬＰＣ）帰還部３０７にフィードバックさせる。ＡＬＰＣ帰還部３０７は、フィードバックされるＬＤパワーに基づいて加算又は減算させるパワーレベルを記録レベル加算器１０５に出力して、記録パワー生成部１０４で生成された記録パワーにそれを加えることにより、記録／再生時のＬＤの出力パワーを一定に維持する。
【０００７】
　このとき、ＮＲＺＩ変調された単一パルスでデータを記録する場合、ディスク自体の熱的な特性によりピットが涙の滴のように形成されたり、ディスクの潜熱特性によりマークの形成がゆがんだりする。すなわち、現在記録されるマークの先端が直前に記録されたマークの形成のために発生した潜熱の影響を受けてマークの長さに影響を与え、また現在の記録マークの長さにより記録マークの末端の長さに影響を与える。
【０００８】
　このため、このような熱の拡散を防止し、ピットの形状を滑らかな楕円状に形成するためにマルチパルス変調方式を用いることもある。すなわち、図２（ｂ）に示すようにＮＲＺＩ変調された１つの単一パルス内で幾度かにわたってオン／オフして、１つの単一パルスを多数のパルスに分けてディスクに記録するマルチパルス変調を行う。すなわち、単一パルスを多数のパルスに分けてディスクに走査するので、信号ピットのある区間での熱の蓄積を防止することができ、ピットの形状を滑らかな楕円状に形成する。
【０００９】
　ＬＤ駆動部１０６は、エンコーダ１０３からマルチパルス変調された信号が入力されると、ＬＤ駆動電圧をＬＤ駆動電流に変換してＬＤを駆動させる。これにより、マルチパルス変調された信号が光ディスク１０１に記録される。ここで、ＬＤのパワーは図２（ｂ）に示すように３種類あり、記録パワーが一番強く、次は消去パワー、読取パワーの順である。
【００１０】
　しかし、このときにもマルチパルスの幅及び位置が固定されているため、前のマークで形成されたピット長及びデータの記録されてないブランクの長さによる熱拡散又は熱蓄積に起因して発生する問題を完全に解決することができない。これは、ピットの形状が図２（ｅ）に示すように形成されなければならないが、実はそうでないことを意味する。すなわち、前のマーク長及び前のブランク長が様々に変化し、前のマーク長及び前のブランク長に基づいて熱拡散割合が変わるためである。前のマーク長及び前のブランク長が次のマークのピットの形成に影響を及ぼし、再生信号のジッタとして現れる。特に、オーバーライト時には、所望する形状及びサイズのピットよりも大きなピット、又は小さなピットとして記録される。このため、ディスクからデータを再生する場合、再生信号にジッタの要因として作用して正確なデータの復元が困難になる。
【００１１】
　従来では、これを解決するため時間軸で記録パルスを調整してデータを記録している。この方法の１つは図２（ｃ）に示すようなパルスエッジシフト(pulse edge shift)方法であり、他の１つは図２（ｄ）に示すようなパルス位置シフト(pulse position shift)方法である。すなわち、図２（ｃ）に示すようなパルスエッジシフト方法は、前のマーク長とブランク長、そして現在形成されるマーク長に応じて現在のマークの記録パルスのエッジを時間軸で調節して所望のマークを形成する方法であり、図２（ｄ）に示すようなパルス位置シフト方法は、前のマーク長とブランク長、そして現在形成されるマーク長に応じて記録パルスの幅を時間軸で調節して所望のマークを形成する方法である。
【００１２】
　しかし、上記したように時間軸上での記録パルスの幅を調節する方法は、高倍速／高密度になるほど制御し難く、高周波のノイズ特性を現す。例えば、ＤＶＤ−ＲＡＭ（例えば４．７ＧＢ、Giga Byte)では約１ｎｓ程度の微細なパルス幅を調整する必要があるが、この微細な幅を調整するのは記録するピットの長さと記録するピットの前のブランク長等の関数によるため制御し難く、たとえ調節しても所望のマークを形成し難い。また、これを実現するデバイスに追い付くのも容易でない。すなわち、高倍速／高密度に行くほど時間的に記録パルスを制御することは困難である。
　なお、出願人は、出願時までに本発明に関連する先行技術文献を発見することができなかった。よって、先行技術文献情報を開示していない。
【発明の開示】
【発明が解決しようとする課題】
【００１３】
　本発明は上記問題点を解決するためのものであり、その目的は制御し易く且つ正確なピットを形成することができる光記録媒体の記録信号生成方法並びにそのための装置を提供することである。
　本発明の他の目的は、ピットの初め部分と終わり部分との記録パワーレベルを異ならせて最適な記録を行う光記録媒体の記録信号生成方法並びにそのための装置を提供することにある。
【課題を解決するための手段】
【００１４】
　上記目的を達成するための本発明の光記録媒体の記録信号生成方法は、記録パルスから前のブランク長及び現在のピット長を確かめるステップと、ピットの始め部分の記録パワーレベルをステップで確認された前のブランク長によって決定し、ピットの終り部分の記録パワーレベルを現在のピット長によって決定するように記録パワー補償用信号を生成するステップと、生成された記録パワー補償用信号を記録パワーレベルに加算するステップとを備えることを特徴とする。
　補償信号生成ステップは、記録パルスを反転し、反転した信号を積分して記録パワー補償用信号を生成することを特徴とする。
　補償信号生成ステップは、記録パルスのブランク区間では充電を行い、ピット区間では放電を行うことで記録パワー補償用信号を生成することを特徴とする。
【００１５】
　本発明の光記録媒体の記録再生装置は、記録するデータに応ずる記録パルスを生成するエンコーダと、ピットの始め部分の記録パワーレベルを記録パルスから得られる前のブランク長によって決定され、ピットの終り部分の記録パワーレベルは現在のピット長によって決定されるように記録パワー補償用信号を生成する記録パワー補償信号生成部と、生成された記録パワー補償用信号を記録パワーレベルに加算する加算器とを備えることを特徴とする。
　記録パワー補償信号生成部は、記録パルスを反転し、反転した信号を積分して記録パワー補償用信号を生成する積分器から構成されることを特徴とする。
　記録パワー補償信号生成部は、記録パルスのブランク区間では充電を行い、ピット区間では放電を行うことで記録パワー補償用信号を生成する充放電器から構成されることを特徴とする。
　エンコーダは、１つのピット長に対して記録パルスとして単一パルスを発生することを特徴とする。
　エンコーダは、１つのピット長に対して記録パルスとしてマルチパルスを発生することを特徴とする。
【発明の効果】
【００１６】
　本発明の光記録媒体の記録信号生成方法並びに装置によれば、記録パルスそのものはディスクの種類別、メーカー別にかかわらずに固定し、ピットの始め部分の記録パワーレベルを前のブランク長によって調節し、ピットの終わり部分の記録パワーレベルを現在のピット長によって調節することで、マークを形成するピット長の幅を調節して記録を行っているので、これにより再生信号にもジッタが作用しない最適な再生を行うことができる。
【発明を実施するための最良の形態】
【００１７】
　以下、本発明の好適な実施形態を添付図面を参照して詳述する。
　本発明では、記録パルスは調整可能な範囲内で記録マークの前のブランク長又は記録するピット長に係わらずに一定のライト・ストラテジを設定し、ピット長の微細な幅はＬＤの出力光の強さ、すなわちＬＤ駆動電圧レベルを調整することにより、最適な記録を行う。特に、ピットの始め部分の記録パワーレベルは前のブランク長によって調節し、ピットの終わり部分の記録パワーレベルは現在のピット長によって調節して、マークを形成するピット長の幅を調節してピットの始め部分と終わり部分との記録パワーレベルの大きさを互いに異ならせる。
【００１８】
　図３は本発明の光ディスク記録再生装置における記録に係る構成ブロック図で、図１に更に記録パワー補償信号生成部３００を備えている。記録パワー補償信号生成部３００は、ピットとブランク長の関数関係を用いて記録パワーレベルを制御して最適なデータ記録を行わせる。すなわち、記録パワー補償信号生成部３００は、ピットの形成時にピットの初期の記録パワーレベルは前のブランク長の関数によって決定され、ピットの終わり部分の記録パワーレベルは現在のピット長の関数によって決定されるように記録パワー補償信号を生成する。ここで、前のブランク長及び現在のピット長はエンコーダ１０３から出力される記録パルスから分かる。
【００１９】
　図４は記録パワー補償信号生成部３００の一実施形態を示す詳細ブロック図であり、エンコーダ１０３から入力される記録パルスを積分する積分器３０１と、積分された信号を非線形的に変換して記録レベル加算器１０６に出力する微細パワーレベル生成部３０２とから構成される。このように構成された本発明の一実施形態においては、エンコーダ１０３が図６（ａ）に示すような記録パルスを出力するとするとき、記録パワー補償信号生成部３００の積分器３０１がエンコーダ１０３から出力される記録パルスを図６（ｂ）のように反転させて積分を行う。すると、図６（ｃ）に示すように線形の傾きを有する積分パルスを発生する。ここで、記録パルスは単一パルスであってもよく、またマルチパルスであってもよい。
【００２０】
　図５は積分器３０１の積分動作を詳細に示す図である。ＮＲＺＩ変調された信号が図５（ａ）で、このときのマルチパルスが図５（ｃ）である場合、積分器３０１の出力は図５（ｂ）に示すようにマークの形成されたピット部分では線形的に減少し、逆にブランク部分では線形的に増加することが分かる。図５においてＬｂｌｋはブランク長で、Ｌｐｉｔはピット長で、ｄＰｂｌｋはブランク長に比例し、ｄＰｐｉｔはピット長に比例することが分かる。
【００２１】
　このとき、所望のピットを早く形成し、ピットの形成を早く済ませるために、積分器３０１は反転された記録パルスを積分する。すなわち、記録パルスを反転させて積分すると、積分信号の傾きは図５とは逆になる。例えば、図６（ｃ）をみると、反転された記録パルスの積分によりピットの終わり部分が基準レベル以下に下ることが分かる。これは従来のパルスエッジシフト方法と同様な効果を得る。すなわち、ピットに熱が蓄積されているため、基準レベル以下に下ったパワーレベルを記録レベル加算器１０５に送る。したがって、その下がった分だけＬＤ駆動電圧を低くすることができ、ピットの形成を早く済ませることができる。
【００２２】
　その際、積分された量をそのまま記録レベル加算器１０５に出力してもよく、図６（ｄ）のようなリセットパルスによりブランク部分の初期パワーを図６（ｅ）に示すように基準レベルにした後、記録レベル加算器１０５に出力してもよい。ピットのサイズの小さな場合には、記録パワーが続けて上がったり下ったりするとピットの形成への影響が大きいため、ブランクの初期には基準レベルにしてやる。ここで、リセットパルスはエンコーダ１０３から発生し、一例としてリセットパルスの大きさは３Ｔにしてもよい。
【００２３】
　一方、微細パワーレベル生成部３０２は、記録媒体の特性が非線形的なので、積分器３０１の出力を記録媒体の物理的な特性に合わせて図６（ｆ）に示すように非線形的に微細調整した後、記録レベル加算器１０５に出力する。記録レベル加算器１０５は、記録パワー生成部１０４で生成された記録パワー、すなわちＬＤ駆動電圧、ＡＬＰＣ帰還部１０７から出力されるフィードバック電圧、そして微細パワーレベル生成部３０２で生成された電圧を加算してＬＤ駆動部１０６に出力する。その際、ピットの始め部分と終わり部分との記録パワーレベルは記録パワー補償信号生成部３００により互いに異なる。ＬＤ駆動部１０６は、図６（ｇ）又は図６（ｈ）のように入力されるＬＤ駆動電圧をＬＤ駆動電流に変換してＬＤを駆動させる。これにより、エンコーダ１０３から出力された記録パルスが光ディスク１０１に記録される。
【００２４】
　一方、図７は記録パワー補償信号生成部３００の他の実施形態を示す詳細ブロック図であり、エンコーダ１０３から記録パルスを入力されて充放電する充放電器４０１と、充放電された信号を非線形的に変換して記録レベル加算器１０６に出力する微細パワーレベル生成部４０２とから構成される。すなわち、本発明の他の実施形態では、エンコーダ１０３から出力される記録パルスを充放電させることによりピットの始め部分と終わり部分との記録パワーレベルを異ならせる。
【００２５】
　図８は充放電器４０１の詳細ブロック図の例であり、充電スイッチ５０１，リセットスイッチ５０５、放電スイッチ５０６のスイッチと、ＲＣ時定数を決める抵抗５０２、５０４とキャパシタンス５０３を備えている。エンコーダ１０３は、図９（ｃ）（ｄ）（ｅ）に示すようなリセットスイッチＳ／Ｗパルス、充電Ｓ／Ｗパルス、放電Ｓ／Ｗパルスを、充放電器４０１の各々のリセット、充電、放電スイッチ５０５、５０１、５０６に出力してスイッチングを動作させ、制御された出力を出力する。すなわち、リセットＳ／Ｗパルスはブランクの始め部分でオンされ、充電Ｓ／Ｗパルスはブランク区間でオンされ、オンされる期間はブランク長に比例する。放電Ｓ／Ｗパルスはピット区間でオンされ、オンされる期間はピット長に比例する。そして、図８において、基準電圧、最大充電電圧、最小放電電圧はユーザーにより調節可能である。図９（ｃ）（ｄ）（ｅ）のようなリセットＳ／Ｗパルス、充電Ｓ／Ｗパルス、放電Ｓ／Ｗパルスにより充電Ｓ／Ｗ５０１がオンされ、リセットＳ／Ｗ５０５及び放電Ｓ／Ｗ５０６がオフされると、最大充電電圧が抵抗５０２を介してキャパシタンス５０３に充電される。ここで、キャパシタンス５０３に充電される時間及び電圧はブランク長に比例する。その後、充電Ｓ／Ｗ５０１がオフされ、放電Ｓ／Ｗ５０６がオンされると、すなわち記録が始まる時点では、キャパシタンス５０３に充電された電圧が抵抗５０４を介して放電される。ここで、放電される時間及び電圧は現在形成されるピット長に比例する。
【００２６】
　この際、充放電された電圧をそのまま記録レベル加算器１０５に出力してもよいが、図９（ｃ）に示すようなリセットＳ／Ｗパルスにより常に充電が基準レベルから始まるように、ブランク部分の初期パワーを基準レベルにした後、記録レベル加算器１０５に出力してもよい。ピットのサイズの小さな場合には、記録パワーが続けて上がったり下ったりするとピットの形成の影響が大きいため、ブランクの初期には基準レベルにしてやる。
【００２７】
　すなわち、記録パルスがオフされると、すなわち図９（ｃ）（ｅ）に示すように放電Ｓ／Ｗ５０６がオフされ、リセットＳ／Ｗ５０５がオンされると、放電が終わりキャパシタンス５０３には基準電圧が充電される。したがって、図９（ｃ）（ｄ）に示すようにリセットＳ／Ｗ５０５がオフされ、充電Ｓ／Ｗ５０１がオンされると、キャパシタンス５０３には常に基準レベルから充電される。図９（ｆ）は図９（ｃ）（ｄ）（ｅ）に示すようなリセットＳ／Ｗパルス、充電Ｓ／Ｗパルス、放電Ｓ／Ｗパルスにより発生される充放電器４０１から出力される充放電電圧波形である。図９（ｆ）から、常に充電が基準レベルから始まることが分かる。すなわち、ブランク部分の初期パワーは基準レベルとなる。ここで、放電レベルを基準レベルとして用いる場合にはリセットスイッチを省略してもよい。
【００２８】
　一方、微細パワーレベル生成部４０２は、記録媒体の特性が非線形的なので、充放電器４０１の出力を記録媒体の物理的な特性に合わせて非線形的に微細調整した後、記録レベル加算器１０５に出力する。記録レベル加算器１０５は、記録パワー生成部１０４で生成された記録パワーつまりＬＤ駆動電圧、ＡＬＰＣ帰還部１０７から出力されるフィードバック電圧、そして微細パワーレベル生成部３０２で生成された電圧を加算してＬＤ駆動部１０６に出力する。この際、ピットの始め部分と終わり部分との記録パワーレベルが、図９（ｇ）に示すように記録パワー補償信号生成部３００により互いに異なることが分かる。ＬＤ駆動部１０６は、図９（ｇ）のように入力されるＬＤ駆動電圧をＬＤ駆動電流に変換してＬＤを駆動させる。これにより、エンコーダ１０３から出力される記録パルスが光ディスク１０１に記録される。したがって、ＤＶＤ−ＲＡＭ等の高密度ディスクでも図２（ｅ）のように最適な記録を行う。
【００２９】
　このように、本発明は図６（ｇ）に示すような単一パルス、図６（ｈ）、図９（ｇ）に示すようなマルチパルスともに適用可能なので、１回だけ記録可能なディスク、例えばＣＤ−Ｒ、ＤＶＤ−Ｒ、自由に繰り返して記録できる書き換え可能なディスク、例えばＣＤ−ＲＷ、ＤＶＤ−ＲＷ、ＤＶＤ−ＲＡＭ等全てに適用可能である。
【図面の簡単な説明】
【００３０】
【図１】一般な光ディスク記録再生装置の構成ブロック図。
【図２】（ａ）〜（ｅ）は図１における記録マークの形成のためのタイミング図。
【図３】本発明の光ディスク記録再生装置の構成ブロック図。
【図４】図３の記録パワー補償信号生成部の一実施形態を示す構成ブロック図。
【図５】（ａ）〜（ｃ）は図３の積分器の動作タイミング図。
【図６】（ａ）〜（ｈ）は図４の各部の動作タイミング図。
【図７】図３の記録パワー補償信号生成部の他の実施形態を示す構成ブロック図。
【図８】図７の充放電器の詳細ブロック図。
【図９】（ａ）〜（ｇ）は図８の各部の動作タイミング図。
【符号の説明】
【００３１】
１０１…ディスク、１０２…光ピックアップ、１０３…エンコーダ、１０４…記録パワー生成器、１０５…記録レベル加算器、１０６…ＬＤ駆動部、１０７…ＡＬＰＣ帰還部、３００…記録パワー補償信号生成部。
【図１】
2004139732.tif 000003
【図２】
2004139732.tif 000004
【図３】
2004139732.tif 000005
【図４】
2004139732.tif 000006
【図５】
2004139732.tif 000007
【図６】
2004139732.tif 000008
【図７】
2004139732.tif 000009
【図８】
2004139732.tif 000010
【図９】
2004139732.tif 000011